(57)【要約】  【課題】扉を閉める場合に鍵を使用することなく、扉の施錠が可能となる扉ロック装置を提供することを目的とする。  【解決手段】扉２を閉める場合には、鍵３を施錠位置で外し、この状態で扉２を閉じることで、スライドバー６に取付されたロックピン８が傾斜爪部７ｂの傾斜面に接触し、スライドバー６が上方向に移動する。そして、扉２の閉位置まで閉めるとロックピン８が係合部７の溝に落下することでロックピン８と傾斜爪部７ｂを係合させることが可能となり、扉２を閉める場合に鍵３を使用することなく、扉２の施錠が可能となる。【選択図】図１
2008171050.tif 000002
【特許請求の範囲】
【請求項１】
自動販売機の本体と、前記本体の前面に回動自在に設けられた扉とをロックする扉ロック装置を備え、前記扉ロック装置は前記本体の開口部に備えた係合部と、前記扉に前記係合部に対応するロックピンとで施錠され、前記係合部は前記ロックピンに向かって形成された爪部を有し、前記ロックピンは上下方向に移動可能なスライドバーに固定されており、施錠する場合、前記ロックピンは前記スライドバーの可動とともに前記爪部に構成された傾斜面を上方向に移動し、前記爪部に連続して形成された溝部に前記スライドバーの可動とともに落下することで施錠されることを特徴とする扉ロック装置。
【請求項２】
溝部に自動販売機の本体方向に向かって傾斜面を形成したことを特徴とする請求項１に記載の扉ロック装置。
【請求項３】
前記係合部には本体の前後方向に形成された複数の長孔を備え、前記係合部を前記本体に固定する場合に、前後方向に位置調整可能としたことを特徴とする請求項１または２に記載の扉ロック装置。
【請求項４】
上下方向に形成された前記スライドバーの下端部と扉フレームとの間に、下方向に付勢するスプリングを備えたことを特徴とする請求項１から３のいずれか一項に記載の扉ロック装置。
【請求項５】
扉を閉じた時に、前記扉と本体との隙間を覆う扉プロテクタを備え、前記扉プロテクタは前記扉に形成され、扉ロック装置の係合部と本体側壁間に入り込んで構成されることを特徴とする請求項１から４のいずれか一項に記載の扉ロック装置。
【発明の詳細な説明】
【技術分野】
【０００１】
本発明は、扉ロック装置に関するものであり、特に自動販売機に搭載するのに適した扉ロック装置に関するものである。
【背景技術】
【０００２】
従来、この種の扉ロック装置は自動販売機の本体の前面に回動自在に設けられた扉をロックする扉ロック装置がある（例えば、特許文献１参照）。
【０００３】
図６は、特許文献１に記載された従来の自動販売機の斜視図である。図７は、特許文献１に記載された従来の扉ロック装置の斜視図である。図６、図７に示すように、自動販売機の本体１と、本体１の前面に回動自在に設けられた扉２と、扉２を施錠するための鍵３と、扉２の前面に構成され扉に挿入されるシリンダ錠４と、扉の裏面に構成されシリンダ錠４の回動と同期するリンク５と、リンク５に構成されたリンクピン５ａと、扉２の右端部裏面に構成されリンクピン５ａの回動によって上下方向に移動するスライドバー６と、スライドバー６に短形状に設けられた開口部６ｂと、本体１の前面の右端部に構成されてスライドバー６と接合する係合部７と、係合部７に構成されスライドバー６の開口部６ｂとはまり合うための爪部７ａから構成される。
【０００４】
以上のように、構成された扉ロック装置について、以下その動作を説明する。
【０００５】
扉２を閉める場合には、鍵３をシリンダ錠４に挿入し、回動させることでリンク５が同期して回動し、リンクピン５ａと溝部６ａがはまり合っているためにスライドバー６が上方向に移動する。この状態で扉２の右端部が本体１に接触するまで閉じることで、スライドバー６の開口部６ｂに係合部７の爪部７ａが挿入され、鍵３を開時とは逆方向に回動させることでスライドバー６が下方向に移動して開口部６ｂの上縁部と爪部７ａを係合させる。最後に鍵３をシリンダ錠４から外すことで扉２を本体に対して完全にロックすることができる。
【特許文献１】特許第３１０３８３１号公報
【発明の開示】
【発明が解決しようとする課題】
【０００６】
しかしながら、上記従来の構成では、扉２の閉時に鍵３を使用する必要があり、自動販売機のメンテナンスやサニテーション等を実施する際に、作業が終了するまでの間、鍵３を管理するオペレーターが同行しなくてはならず、オペレーターにとっては無駄な時間を浪費するという課題を有していた。
【０００７】
本発明は、従来の課題を解決するもので、鍵３を使用せずに扉２の閉操作を行える扉ロック装置を提供することを目的とする。
【課題を解決するための手段】
【０００８】
上記従来の課題を解決するために、本発明の扉ロック装置は、扉を閉じることで、スライドバーに取付されたロックピンが傾斜爪部の傾斜面に接触し、前記スライドバーが上方向に移動する。そして、前記扉の閉位置まで閉めると前記ロックピンが係合部の溝に落下することで前記ロックピンと前記傾斜爪部を係合させることが可能となる。
【０００９】
これによって、前記扉を閉める場合に鍵を使用することなく、前記扉の施錠が可能となる。
【発明の効果】
【００１０】
本発明の扉ロック装置は、扉を閉める場合には、鍵を施錠位置で外し、この状態で扉を閉じることで、スライドバーに取付されたロックピンが傾斜爪部の傾斜面に接触し、スライドバーが上方向に移動する。そして、扉の閉位置まで閉めるとロックピンが係合部の溝に落下することでロックピンと傾斜爪部を係合させることが可能となり、扉を閉める場合に鍵を使用することなく、扉の施錠が可能となる。
【発明を実施するための最良の形態】
【００１１】
請求項１に記載の発明は、自動販売機の本体と、前記本体の前面に回動自在に設けられた扉とをロックする扉ロック装置を備え、前記扉ロック装置は前記本体の開口部に備えた係合部と、前記扉に前記係合部に対応するロックピンとで施錠され、前記係合部は前記ロックピンに向かって形成された爪部を有し、前記ロックピンは上下方向に移動可能なスライドバーに固定されており、施錠する場合、前記ロックピンは前記スライドバーの可動とともに前記爪部に構成された傾斜面を上方向に移動し、前記爪部に連続して形成された溝部に前記スライドバーの可動とともに落下することで施錠することが可能となる。
【００１２】
請求項２に記載の発明は、請求項１に記載の発明に、さらに、溝部に自動販売機の本体方向に向かって傾斜面を形成した傾斜溝部を備え、前記扉を閉める場合に、前記扉を閉じることで前記ロックピンが前記係合部の傾斜爪部の傾斜面に接触して前記スライドバーが上方向に移動するが、前記傾斜溝部を設けることによって前記ロックピンが導かれスムーズに落下することが可能となる。
【００１３】
請求項３に記載の発明は、請求項１または２に記載の発明に、さらに、前記係合部には本体の前後方向に形成された複数の長孔を備え、前記係合部を前記本体に固定する場合に、前後方向に位置調整が可能となる。
【００１４】
請求項４に記載の発明は、請求項１から３のいずれか一項に記載の発明に、さらに、上下方向に形成された前記スライドバーの下端部と扉フレームとの間に、下方向に付勢するスプリングを備え、前記スライドバーの下部と前記扉のフレームを前記スプリングで接続して、常時前記スライドバーが下方向に引っ張られるようにすることで、前記スライドバーの重量が軽量な場合でも確実に落下させることが可能となる。
【００１５】
請求項５に記載の発明は、請求項１から４のいずれか一項に記載の発明に、さらに、扉を閉じた時に、前記扉と前期本体との隙間を覆う扉プロテクタを備え、前記扉プロテクタは前記扉に形成され、扉ロック装置の前記係合部と本体側壁間に入り込んで構成され、外部からの扉ロック解除を防止することが可能となる。
【００１６】
以下、本発明による扉ロック装置の実施の形態について、図面を参照しながら説明するが、従来例または先に説明した実施の形態と同一構成については同一符号を付して、その詳細な説明を省略する。なお、この実施の形態によってこの発明が限定されるものではない。
【００１７】
（実施の形態１）
図１は、本発明の実施の形態１による扉ロック装置の斜視図である。
【００１８】
図１において、自動販売機の本体１と、本体１の前面に回動自在に設けられた扉２と、扉２を施錠するための鍵３と、扉２の前面に構成され扉に挿入されるシリンダ錠４と、扉２の裏面に構成されシリンダ錠４の回動と同期するリンク５と、リンク５に構成されたリンクピン５ａと、扉２の右端部裏面に構成されリンクピン５ａの回動によって上方向に移動するスライドバー６と、スライドバー６に短形状に設けられた開口部６ｂと、スライドバー６に構成されリンクピン５ａと接触し、上方向の回動を伝える凸部６ｃと、本体１の前面の右端部に構成されてスライドバー６と接合する係合部７と、係合部７に構成されスライドバー６と接触することでスライドバー６が上方向に移動するための傾斜爪部７ｂと、スライドバー６に取付され、傾斜爪部７ｂと接触するロックピン８から構成される。
【００１９】
以上のように構成された扉ロック装置について、以下その動作を説明する。
【００２０】
扉２を閉める場合には、鍵３を施錠位置で外す。この状態で扉２を閉じることで、スライドバー６に取付されたロックピン８が傾斜爪部７ｂの傾斜面に接触し、スライドバー６が上方向に移動する。そして、扉２の閉位置まで閉めるとロックピン８が係合部７の溝に落下することでロックピン８と傾斜爪部７ｂを係合させることが可能となる。
【００２１】
次に、扉２を開ける場合には、鍵３をシリンダー錠４に挿入し、回動させることでリンク５が同期して回動し、リンクピン５ａが凸部６ｃを上昇させ、スライドバー６が上方向に移動する。この状態で扉２が開けることでロックピン８と傾斜爪部７ｂとの係合が解除され、扉２が前方に回動する。
【００２２】
以上のように、本実施の形態においては、扉２を閉める場合に鍵３を使用することなく、扉２の施錠が可能となる。
【００２３】
（実施の形態２）
図２は、本発明の実施の形態２による扉ロック装置の側面図である。
【００２４】
図２において、係合部７に構成され傾斜爪部７ｂの先端にある突起部７ｃと係合部７の溝部に構成された傾斜溝部７ｄが構成されている。
【００２５】
本実施の形態は、実施の形態１による扉ロック装置に、さらに、突起部７ｃと傾斜溝部７ｄを設けたものである。
【００２６】
以上のように構成された扉ロック装置について、以下その動作を説明する。
【００２７】
扉２を閉める場合に、扉２閉じることでロックピン８が係合部７の傾斜爪部７ｂの傾斜面に接触してスライドバー６が上方向に移動するが、係合部７の傾斜爪部７ｂの先端に突起部７ｃを設け、突起部７ｃから下方向に傾斜溝部７ｄを設けることによってロックピン８が導かれスムーズに落下することが可能となる。
【００２８】
（実施の形態３）
図３は、本発明の実施の形態３による扉ロック装置の斜視図である。
【００２９】
図３において、係合部７に構成された長穴部７ｅと、係合部７を自動販売機の本体１に固定するためのビスＡ９と、係合部７の長穴部７ｅ内部に配置され自動販売機の本体１に固定したビスＢ１０が構成されている。
【００３０】
本実施の形態は、実施の形態１による扉ロック装置に、さらに、長穴部７ｅとビスＡ９とビスＢ１０を設けたものである。
【００３１】
以上のように構成された扉ロック装置について、以下その動作を説明する。
【００３２】
自動販売機の本体１に係合部７が２個のビスＡ９によって固定されているが、本体１と扉２の組立時にロック位置のバラツキが発生する。この位置バラツキが発生した場合には、ビスＡ９を緩めて係合部７を水平方向にスライドさせることで調整している。この時、２個のビスＡ９を緩めて係合部７を水平方向にスライドさせようとするが上下方向にも可動してしまい、係合部７を正しい位置に調整するためには冶具が必要であった。そこで、係合部７に長穴部７ｅを設け、数個のビスＢ１０で上下方向のがたつきを抑制することで、冶具なしで係合部７を容易に位置調整することが可能となり、市場での再調整も容易に対応することが可能となる。
【００３３】
また、本実施の形態では、ビスＢ１０にて上下の位置規制を行ったが、ビスＡ９の個数を増加させて上下の位置規制を行うことも可能である。
【００３４】
（実施の形態４）
図４は、本発明の実施の形態４による扉ロック装置の斜視図である。
【００３５】
図４において、スライドバー６の下部と扉２のフレームを接続して、スライドバー６を下方向に引っ張るためのスプリング１１が構成されている。
【００３６】
以上のように構成された扉ロック装置について、以下その動作を説明する。
【００３７】
扉２を閉める場合に、ロックピン８が係合部７の溝に落下することで、ロックピン８と傾斜爪部７ｂを係合させることが可能となるが、スライドバー６が落下するのはスライドバー６自体の自重によるものであり、スライドバー６の重量が寸法及び材質で軽量な場合には、自重では落下しにくい可能性がある。そこで、スライドバー６の下部と扉２のフレームをスプリング１１で接続して、常時スライドバー６が下方向に引っ張られるようにすることで、スライドバー６の重量が軽量な場合でも確実に落下させることが可能となる。
【００３８】
（実施の形態５）
図５は、本発明の実施の形態５による扉ロック装置の斜視図である。
【００３９】
図５において、扉２を閉じた状態で扉２と本体１の隙間からスライドバー６及びロックピン８が触れられないための扉プロテクタ１２が構成されている。
【００４０】
本実施の形態は、実施の形態１による扉ロック装置に、さらに、扉プロテクタ１２を設けたものである。
【００４１】
以上のように構成された扉ロック装置について、以下その動作を説明する。
【００４２】
扉２を閉じた状態で扉２と本体１の隙間から針金等によって扉ロックを解除される可能性がある。そこで、扉２のフレームに扉プロテクタ１２を構成することで、扉２を閉じた状態では、扉プロテクタ１２が係合部７と本体１との間に入り込むことが可能となり、外部からの扉ロック解除を防止することが可能となる。
【００４３】
また、本実施の形態では、扉２のフレーム全長にわたって扉プロテクタ１２を構成しているが、全長ではなく係合部７の２箇所のみに構成することも可能である。
【産業上の利用可能性】
【００４４】
以上のように、本発明にかかる扉ロック装置は、鍵３を使用せずに扉２の施錠を行うことが可能となるので、自動販売機だけでなく、扉ロック機能を求められる扉ロック装置を搭載した商品に適用できる。
【図面の簡単な説明】
【００４５】
【図１】本発明の実施の形態１による扉ロック装置の斜視図
【図２】本発明の実施の形態２による扉ロック装置の側面図
【図３】本発明の実施の形態３による扉ロック装置の斜視図
【図４】本発明の実施の形態４による扉ロック装置の斜視図
【図５】本発明の実施の形態５による扉ロック装置の斜視図
【図６】従来の自動販売機の斜視図
【図７】従来の扉ロック装置の斜視図
【符号の説明】
【００４６】
１    本体
２    扉
３    鍵
４    シリンダ錠
５    リンク
５ａ  リンクピン
６    スライドバー
６ｂ  開口部
６ｃ  凸部
７    係合部
７ｂ  傾斜爪部
７ｃ  突起部
７ｄ  傾斜溝部
７ｅ  長穴部
８    ロックピン
９    ビスＡ
１０  ビスＢ
１１  スプリング
１２  扉プロテクタ
【図１】
2008171050.tif 000003
【図２】
2008171050.tif 000004
【図３】
2008171050.tif 000005
【図４】
2008171050.tif 000006
【図５】
2008171050.tif 000007
【図６】
2008171050.tif 000008
【図７】
2008171050.tif 000009